(57)【要約】【課題】  予め圧縮処理されて格納された動画ファイルに基づいて、表示出力する場合であっても、高速に演算処理できる表示装置を提供する。【解決手段】  予め圧縮処理された動画ファイル１２を格納する外部記憶手段１と、この外部記憶手段１の動画ファイル１に基づいて表示用のフレーム画像データを所定の表示更新周期毎に生成し出力する制御手段２と、制御手段２からのフレーム画像データに基づいて表示出力する表示手段３と、を備えた表示装置であって、外部記憶手段１は、動画ファイル１２において、基準画像Ａに基づく基準データ１２ａと、この基準画像Ａに対応する複数の差分画像Ｂをそれぞれ圧縮処理した差分データ（１２ｂ，１２ｃ，１２ｄ）とを格納するとともに、制御手段２は、何れか一つの差分データを解凍する解凍処理と、これら解凍処理によって得られる差分画像Ｂと基準画像Ａとを合成してフレーム画像データを生成する描画処理と、を行う。【選択図】  図１
2012109791.tif 000002
【特許請求の範囲】
【請求項１】
予め圧縮処理された動画ファイルを格納する記憶手段と、
この記憶手段の前記動画ファイルに基づいて表示用のフレーム画像データを所定の表示更新周期毎に生成し出力する制御手段と、
前記制御手段からの前記フレーム画像データに基づいて表示出力する表示手段と、を備えた表示装置であって、
前記記憶手段は、前記動画ファイルにおいて、基準画像に基づく基準データと、この基準画像に対応する複数の差分画像をそれぞれ圧縮処理した差分データとを格納するとともに、
前記制御手段は、何れか一つの差分データを解凍する解凍処理と、これら解凍処理によって得られる前記差分画像と前記基準画像とを合成して前記フレーム画像データを生成する描画処理と、を行うことを特徴とする表示装置。
【請求項２】
前記記憶手段は、表示する動画において、一つのフレーム画像データを前記基準画像として圧縮処理した前記基準データと、他のフレーム画像毎に前記基準画像と異なる箇所を前記差分画像として圧縮処理された前記差分データとを予め格納してなることを特徴とする請求項１に記載の表示装置。
【請求項３】
前記制御手段は、車両情報を入力し、この車両情報に基づいて前記表示手段を制御することもでき、前記車両情報に基づいて所定の車両操作があった場合に、前記動画ファイルに基づく動画像をフレーム画像データとして生成し、前記表示手段に表示出力させることを特徴とする請求項１または請求項２に記載の表示装置。
【発明の詳細な説明】
【技術分野】
【０００１】
本発明は、予め圧縮処理されて格納された動画ファイルに基づいて、表示出力する表示装置に関する。
【背景技術】
【０００２】
近年のコンピュータ技術の発展により、画像処理を積極的に用いることができる環境が、技術的かつ経済的にも整いつつある。しかし、画像データはテキストデータ等と比して大きな容量を必要とするため、データの保存においては記録媒体を圧迫し、通信においては回線スピードの劣化の原因となる等、そのままデータ処理に用いるには不便である。
【０００３】
かかる弊害を回避すべく、さまざまな画像データ圧縮方法が考えられている。例えば、表面模様等のテクスチャ画像においては、表面模様が繰り返しパターンを有することが多く、かかる特質を利用したデータ圧縮方法が考え出されている。
【０００４】
例えば、特許文献１においては、繰り返しパターンを有する画像データについて、当該パターンの一周期分の画像データのみを模範画像データとして格納することで、全体のデータ量を削減する方法が開示されている。
【先行技術文献】
【特許文献】
【０００５】
【特許文献１】特開平３−２７０２４９号公報
【発明の概要】
【発明が解決しようとする課題】
【０００６】
これらの表示方法を用いた表示装置にあっては、多数の圧縮されたデータを解凍しそれぞれを合成する描画処理など負荷の高い演算を行う必要があるため、表示する際の処理速度が遅くなってしまうといった問題があった。
【０００７】
そこで本発明の目的とするところは、上述した課題に着目してなされたものであって、予め圧縮処理されて格納された動画ファイルに基づいて、表示出力する場合であっても、高速に演算処理できる表示装置を提供することにある。
【課題を解決するための手段】
【０００８】
本発明の表示装置は、予め圧縮処理された動画ファイルを格納する記憶手段と、この記憶手段の前記動画ファイルに基づいて表示用のフレーム画像データを所定の表示更新周期毎に生成し出力する制御手段と、前記制御手段からの前記フレーム画像データに基づいて表示出力する表示手段と、を備えた表示装置であって、前記記憶手段は、前記動画ファイルにおいて、基準画像に基づく基準データと、この基準画像に対応する複数の差分画像をそれぞれ圧縮処理した差分データとを格納するとともに、前記制御手段は、何れか一つの差分データを解凍する解凍処理と、これら解凍処理によって得られる前記差分画像と前記基準画像とを合成して前記フレーム画像データを生成する描画処理と、を行うことを特徴とする。
【０００９】
また、前記記憶手段は、表示する動画において、一つのフレーム画像データを前記基準画像として圧縮処理した前記基準データと、他のフレーム画像毎に前記基準画像と異なる箇所を前記差分画像として圧縮処理された前記差分データとを予め格納してなることを特徴とする。
【００１０】
また、前記制御手段は、車両情報を入力し、この車両情報に基づいて前記表示手段を制御することもでき、前記車両情報に基づいて所定の車両操作があった場合に、前記動画ファイルに基づく動画像をフレーム画像データとして生成し、前記表示手段に表示出力させることを特徴とする。
【発明の効果】
【００１１】
本発明は、予め圧縮処理されて格納された動画ファイルに基づいて、表示出力する表示装置に関し、表示する際の処理を高速にできる。
【図面の簡単な説明】
【００１２】
【図１】本発明の実施の形態の構成を示す図。
【図２】同上実施の形態の動画ファイルについて示す図。
【図３】同上実施の形態の制御手段の処理手順を示す図。
【発明を実施するための形態】
【００１３】
以下、本発明が適用された実施の形態について添付図面を用いて説明する。
【００１４】
本発明の表示装置を車両に搭載される車両用計器に適用したものを例に挙げて説明する。車両用計器は、図１に示すように、外部記憶手段（記憶手段）１と、制御手段２と、表示手段３とを備えている。
【００１５】
外部記憶手段１は、ＥＥＰＲＯＭやフラッシュメモリなどの不揮発性半導体メモリを適用でき、警報状態の判定や計測値演算を行うためのプログラムや、描画処理用プログラム、メモリコピーなどの汎用関数処理プログラムなどのプログラムデータ１１と、描画処理に用いる動画ファイル１２などが不揮発に格納されている。
【００１６】
外部記憶手段１に格納される動画ファイル１２は、図２に示すように、動画の最初のフレームに対応する基準画像を圧縮した基準データ１２ａと、この基準画像Ａと他のフレーム画像との差分である差分画像Ｂをそれぞれ圧縮した差分データ（１２ｂ，１２ｃ，１２ｄ）をフレーム数に応じて複数用意してなる。この場合、車両起動時や停止時に所定時間表示する動画を構成する差分データ（１２ｂ，１２ｃ，１２ｄ）と基準データ１２ａとを格納してなり、各画像からデータへ圧縮する際には、ランレングス法を用いた圧縮処理を行っている。
【００１７】
また、各フレームに対応する差分画像Ｂは、基準画像Ａよりも小さい領域であるために、同様の画素が連続する箇所が多数となり、ランレングス法を用いて効率よく圧縮された差分データ（１２ｂ，１２ｃ，１２ｄ）となる。なお、基準画像Ａは、動画の最初のフレームではなくてもよく、各差分画像を小さくするために各フレームとの共通部分がより多いフレームや、共通画像から生成した新たな画像、背景画像などを基準画像として選択することもできる。
【００１８】
制御手段２は、例えば、マイクロコンピュータを適用でき、車両に搭載された各種センサからの車両情報を入力し、各種演算を行う車両情報表示処理や外部記憶手段１に格納された各種プログラム等を実行し、表示手段３を制御するための制御信号を生成し出力する。この場合、制御手段２は、所定の条件下において、動画ファイル１２に基づいてフレーム画像データを生成し、表示手段３へ出力している。なお、制御手段２は、車両走行時など通常において、積算走行距離や外気温度など車両情報の入力に基づく各種計測値が表示されるように表示手段３を制御するものである。
【００１９】
表示手段３は、例えば、液晶または有機ＥＬを用いた表示パネルを適用でき、制御手段２からのフレーム画像データなどに基づいて表示出力できる。この場合、表示手段３は、画像情報によって車両走行距離や警報状態など車両情報を表示出力できる他に、例えば、イグニッションスイッチの操作など車両利用者による車両起動／停止動作に応じたオープニング表示、またはエンディング表示として、車両の形状、または車両の名前、車両メーカーのロゴなどの表示を動画ファイル１２に基づいて表示出力できる。
【００２０】
以下、動画ファイル１２に基づく表示制御に関して説明する。
【００２１】
制御手段２は、外部記憶手段１に格納された動画ファイル１２の中から、表示対象となるフレーム画像に対応する差分データ（１２ｂ，１２ｃ，１２ｄ）と基準データ１２ａとを読み取り（ステップＳ１）、この差分データ（１２ｂ，１２ｃ，１２ｄ）と基準データ１２ａとをランレングス法に基づいて、それぞれ解凍する解凍処理（ステップＳ２）を行う。この場合、解凍されて得られる差分画像Ｂと基準画像Ａとが図示しないビデオグラフィックメモリ（例えば、ＶＲＡＭ）に展開される。
【００２２】
この解凍処理によって得られる差分画像Ｂと基準画像Ａとを合成したフレーム画像Ｃに基づくフレーム画像データを生成する描画処理（ステップＳ３）を行う。このフレーム画像データＣによる表示を促すための制御信号を表示手段３へ出力する（ステップＳ４）。
【００２３】
制御手段は、これらの処理（ステップＳ１〜Ｓ４）を、表示手段３の表示更新周期毎に繰り返すことによって、外部記憶手段１に予め格納された動画ファイル１２に基づいて、フレーム画像データが更新され、表示手段３によってアニメーション表示される。
【００２４】
斯かる表示装置は、予め圧縮処理された動画ファイル１２を格納する外部記憶手段１と、この外部記憶手段１の動画ファイル１に基づいて表示用のフレーム画像データを所定の表示更新周期毎に生成し出力する制御手段２と、制御手段２からのフレーム画像データに基づいて表示出力する表示手段３と、を備えた表示装置であって、外部記憶手段１は、動画ファイル１２において、基準画像Ａに基づく基準データ１２ａと、この基準画像Ａに対応する複数の差分画像Ｂをそれぞれ圧縮処理した差分データ（１２ｂ，１２ｃ，１２ｄ）とを格納するとともに、制御手段２は、何れか一つの差分データを解凍する解凍処理（ステップＳ２）と、これら解凍処理によって得られる差分画像Ｂと基準画像Ａとを合成してフレーム画像データを生成する描画処理（ステップＳ３）と、を行う。
【００２５】
したがって、制御手段２は、表示更新周期毎に、基準画像Ａと差分画像Ｂとを一つずつ解凍処理すればよいため、処理回数が少なく、負荷の小さな解凍処理及び合成を含む描画処理となり、高速に演算処理できる表示装置となる。また、外部記憶手段１には、基準画像Ａと差分画像Ｂとにわけて圧縮処理されたものが格納されているため、効率よく圧縮処理ができ、記憶容量を低減することができる。
【００２６】
また、外部記憶手段１は、表示する動画において、一つのフレーム画像データを基準画像Ａとして圧縮処理した基準データ１２ａと、他のフレーム画像毎に基準画像Ａと異なる箇所を差分画像Ｂとして圧縮処理された差分データ（１２ｂ，１２ｃ，１２ｄ）とを予め格納してなることによって、簡単に基準画像Ａを設定して格納することができる。
【００２７】
また、制御手段２は、車両情報を入力し、この車両情報に基づいて表示手段３を制御することもでき、前記車両情報に基づいて所定の車両操作があった場合に、動画ファイル１２に基づく動画像をフレーム画像データとして生成し、表示手段３に表示出力させており、予め設定された動画を効率よく格納、表示処理することができる。
【００２８】
なお、本発明の表示装置を上述した実施の形態の構成にて例に挙げて説明したが、本発明はこれに限定されるものではなく、他の構成においても、本発明の要旨を逸脱しない範囲において種々の改良、並びに設計の変更が可能なことは勿論である。
【産業上の利用可能性】
【００２９】
本発明は、予め定まった動画を表示する表示装置に関し、例えば、自動車、オートバイ、あるいは農業機械や建設機械を備えた移動体に搭載される表示装置として適用できる。
【符号の説明】
【００３０】
１  外部記憶手段
２  制御手段
３  表示手段
【図１】
2012109791.tif 000003
【図２】
2012109791.tif 000004
【図３】
2012109791.tif 000005